(57)【要約】【課題】通常の早見再生に相当する再生のみを行う動画ソースを記録する場合に記録媒体の記録領域の有効活用ができる記録装置を提供すること。【解決手段】ハードディスクレコーダ１００は、入力された動画ソースを圧縮するＭＰＥＧエンコーダ１０４と、ＭＰＥＧエンコーダ４によって圧縮された圧縮データをプラッタ１０６に一時記録し、該一時記録した圧縮データを読み出す記録再生部１０５と、記録再生部１０５によって読み出された圧縮データを復号するＭＰＥＧデコーダ１０７と、ＭＰＥＧデコーダ１０７によって復号された動画データから所定の割合のフレームを間引きする主制御部１１２と、主制御部１１２によってフレームが間引きされた動画データを圧縮するＭＰＥＧエンコーダ１０４と、ＭＰＥＧエンコーダ１０４によって圧縮された圧縮データをプラッタ１０６に記録する記録再生部１０５とを有する。【選択図】図１
2008103816.tif 000002
【特許請求の範囲】
【請求項１】
動画ソースを記録する記録装置であって、
入力された動画ソースを圧縮する第１の圧縮部と、
前記第１の圧縮部によって圧縮された圧縮データを記録媒体に一時記録する第１の記録部と、
前記第１の記録部によって前記記録媒体に一時記録された圧縮データを読み出す読み出し部と、
前記読み出し部によって読み出された圧縮データを復号する復号部と、
前記復号部によって復号された動画データから所定の割合のフレームを間引きするフレーム間引き部と、
前記フレーム間引き部によってフレームが間引きされた動画データを圧縮する第２の圧縮部と、
前記第２の圧縮部によって圧縮された圧縮データを前記記録媒体に記録する第２の記録部と、
前記フレーム間引き部において設定される前記所定の割合が入力される割合入力部と、
を有することを特徴とする記録装置。
【請求項２】
動画ソースが入力される入力部と、該入力部より入力された前記動画ソースを圧縮する圧縮部と、データを記録する記録媒体に前記圧縮部で圧縮されて得られた圧縮データを記録する記録部と、を備える記録装置であって、
前記入力部によって入力された動画ソースの動画データに対して所定の割合のフレームを間引きするフレーム間引き部を備え、
前記フレーム間引き部によってフレームが間引きされた動画データが前記圧縮部において圧縮されることで得られた圧縮データが、前記記録部によって前記記録媒体に記録されることを特徴とする記録装置。
【請求項３】
前記記録媒体として、前記フレーム間引き部によるフレームの間引きが行われていない動画データによる圧縮データを記録する第１の記録媒体と、前記フレーム間引き部によるフレームの間引きが行われた動画データによる圧縮データを記録する第２の記録媒体と、を有し、
前記圧縮部として、前記入力部によって入力された前記動画ソースの動画データに対して圧縮を行う第１の圧縮部と、前記フレーム間引き部によるフレームの間引きが行われた動画データに対して圧縮を行う第２の圧縮部と、を有し、
前記記録部として、前記第１の圧縮部によって圧縮された圧縮データを前記第１の記録媒体に一時記録する第１の記録部と、前記第２の圧縮部によって圧縮された圧縮データを第２の記録媒体に記録する第２の記録部と、を有し、
前記第１の記録部によって前記第１の記録媒体に一時記録された圧縮データを読み出す読み出し部と、
前記読み出し部によって読み出された圧縮データを復号する復号部と、
を更に有し、
前記入力部によって入力された前記動画ソースの動画データが前記第１の圧縮部によって圧縮された後に、前記第１の記録部によって前記第１の記録媒体に一時的に記録され、
前記第１の記録媒体に記録された圧縮データが前記読み出し部で読み出された後に前記復号部で復号され、
前記復号部で復号されて得られた動画データが前記フレーム間引き部でフレームの間引きが成された後、前記第１の圧縮部によって圧縮されて、前記第２の記録部によって前記第２の記録媒体に記録されることを特徴とする請求項１に記載の記録装置。
【請求項４】
前記フレーム間引き部において前記所定の割合が可変であることを特徴とする請求項２又は３に記載の記録装置。
【請求項５】
動画ソースを記録する記録装置の動作を制御するプログラムであって、
前記記録装置に入力された動画ソースの動画データから所定の割合のフレームを間引きするフレーム間引きステップと、
前記フレーム間引きステップによってフレームが間引きされた動画データを圧縮する圧縮ステップと、
前記圧縮ステップによって圧縮された圧縮データを記録媒体に記録する記録ステップと、
を有することを特徴とするプログラム。
【請求項６】
前記フレーム間引きステップにおける前記所定の割合が設定可能であることを特徴とする請求項５又は６に記載のプログラム。
【発明の詳細な説明】
【技術分野】
【０００１】
本発明は、動画ソースを記録する記録装置に関する。また、本発明は、そのような記録装置の動作を制御するプログラムに関する。
【背景技術】
【０００２】
以前より、放送局からアンテナを介して入力された動画ソースや、ビデオカセットレコーダなどの再生装置から外部入力端子を介して入力された動画ソースをＤＶＤ、プラッタなどの記録媒体に記録する記録装置として、ＤＶＤレコーダ、ハードディスクレコーダなどが広く普及している。ＤＶＤレコーダ、ハードディスクレコーダなどは、動画ソースを記録する際には、該動画ソースをＭＰＥＧなどの所定の圧縮方式で圧縮し、得られた圧縮データを記録する。
【０００３】
ここで、ＤＶＤ、プラッタなどの記録媒体の記録領域は有限であるので、その有効活用が重要な課題となる。そのため、記録媒体の記録領域の有効活用を目的とした種々の発明がなされており、その一例を特許文献１に見ることができる。
【０００４】
特許文献１に記載の発明は、記録媒体に記録された圧縮データを復号し、得られた動画データに対して記録レートを変化させた再圧縮を行い、得られた圧縮データを記録媒体に再記録することによって記録媒体の記録領域の空き領域を増やす記録時間延長システム装置に関するものである。これによると、記録媒体に高レートで記録された圧縮データを復号し、得られた動画データに対して記録レートを下げた再圧縮を行い、得られた圧縮データを記録媒体に再記録することによって、記録媒体の記録領域の有効活用ができる。
【特許文献１】特開２０００−１２３３６５号公報
【発明の開示】
【発明が解決しようとする課題】
【０００５】
ところで、近年のＤＶＤレコーダ、ハードディスクレコーダなどの再生装置は、早見再生可能なものが多い。早見再生とは、記録媒体に記録された圧縮データを復号することによって得られる動画データからフレームを間引きして行われる高速再生のことである。
【０００６】
ここで、早見再生の際にはフレームの間引きが行われるため、早見再生に必要な動画データ量は、通常再生に必要な動画データ量と比較して少なくなる。そのため、通常再生は行わず、早見再生のみを行う動画ソースを通常の記録方法で記録すると、記録媒体に不要な圧縮データが記録されることとなり、記録媒体の記録領域が有効活用されていないこととなる。
【０００７】
特許文献１に記載の記録時間延長システム装置は、記録媒体に記録された圧縮データを復号し、得られた動画データに対して記録レートを変化させた再圧縮を行い、得られた圧縮データを記録媒体に再記録するものである。このように記録レートを変化させる場合、伸長復号可能で圧縮符号化する必要があるため、その記録レートにおいて限界がある。よって、限界となる記録レートで動画ソースを記録するための記録領域が記録媒体に必要となり、動画ソースを記録する記録領域の圧縮についても制限される。
【０００８】
上記の問題点を鑑みて、本発明においては、通常の早見再生に相当する再生のみを行う動画ソースを記録する場合に記録媒体の記録領域の有効活用ができる記録装置を提供することを目的とする。また、本発明の他の目的は、そのような記録装置の動作を制御するプログラムを提供することである。
【課題を解決するための手段】
【０００９】
上記目的を達成するために、本発明の記録装置は、動画ソースを記録する記録装置であって、入力された動画ソースを圧縮する第１の圧縮部と、前記第１の圧縮部によって圧縮された圧縮データを記録媒体に一時記録する第１の記録部と、前記第１の記録部によって前記記録媒体に一時記録された圧縮データを読み出す読み出し部と、前記読み出し部によって読み出された圧縮データを復号する復号部と、前記復号部によって復号された動画データから所定の割合のフレームを間引きするフレーム間引き部と、前記フレーム間引き部によってフレームが間引きされた動画データを圧縮する第２の圧縮部と、前記第２の圧縮部によって圧縮された圧縮データを前記記録媒体に記録する第２の記録部と、前記フレーム間引き部において設定される前記所定の割合が入力される割合入力部と、を有することを特徴とする。
【００１０】
又、本発明の記録装置は、動画ソースが入力される入力部と、該入力部より入力された前記動画ソースを圧縮する圧縮部と、データを記録する記録媒体に前記圧縮部で圧縮されて得られた圧縮データを記録する記録部と、を備える記録装置であって、前記入力部によって入力された動画ソースの動画データに対して所定の割合のフレームを間引きするフレーム間引き部を備え、前記フレーム間引き部によってフレームが間引きされた動画データが前記圧縮部において圧縮されることで得られた圧縮データが、前記記録部によって前記記録媒体に記録されることを特徴とする。
【００１１】
このような記録装置において、前記記録媒体として、前記フレーム間引き部によるフレームの間引きが行われていない動画データによる圧縮データを記録する第１の記録媒体と、前記フレーム間引き部によるフレームの間引きが行われた動画データによる圧縮データを記録する第２の記録媒体と、を有し、前記圧縮部として、前記入力部によって入力された前記動画ソースの動画データに対して圧縮を行う第１の圧縮部と、前記フレーム間引き部によるフレームの間引きが行われた動画データに対して圧縮を行う第２の圧縮部と、を有し、前記記録部として、前記第１の圧縮部によって圧縮された圧縮データを前記第１の記録媒体に一時記録する第１の記録部と、前記第２の圧縮部によって圧縮された圧縮データを第２の記録媒体に記録する第２の記録部と、を有し、前記第１の記録部によって前記第１の記録媒体に一時記録された圧縮データを読み出す読み出し部と、前記読み出し部によって読み出された圧縮データを復号する復号部と、を更に有し、前記入力部によって入力された前記動画ソースの動画データが前記第１の圧縮部によって圧縮された後に、前記第１の記録部によって前記第１の記録媒体に一時的に記録され、前記第１の記録媒体に記録された圧縮データが前記読み出し部で読み出された後に前記復号部で復号され、前記復号部で復号されて得られた動画データが前記フレーム間引き部でフレームの間引きが成された後、前記第１の圧縮部によって圧縮されて、前記第２の記録部によって前記第２の記録媒体に記録されるものとしても構わない。
【００１２】
そして、前記フレーム間引き部において前記所定の割合が可変であるものとしてもよい。このとき、前記所定の割合が、ユーザによる入力で設定されるものとしても構わないし、動画ソースに対する番組のユーザの視聴割合や番組の種類によって設定されるものとしても構わない。
【００１３】
本発明のプログラムは、動画ソースを記録する記録装置の動作を制御するプログラムであって、前記記録装置に入力された動画ソースの動画データから所定の割合のフレームを間引きするフレーム間引きステップと、前記フレーム間引きステップによってフレームが間引きされた動画データを圧縮する圧縮ステップと、前記圧縮ステップによって圧縮された圧縮データを記録媒体に記録する記録ステップと、を有することを特徴とする。
【００１４】
上記構成のプログラムにおいて、前記フレーム間引きステップにおける前記所定の割合が設定可能であることが望ましい。
【発明の効果】
【００１５】
本発明の記録装置は、記録媒体に、フレームの間引き処理を行った後の動画データを圧縮して記録することとなる。そのため、通常の早見再生に相当する再生のみを行う動画ソースを記録する場合に記録媒体の記録領域の使用量を削減することができ、記録媒体の記録領域を有効活用できる。また、本発明の記録装置においては、フレームを間引く割合を設定することができるので、ユーザが望む再生速度に合わせた記録ができる。
【発明を実施するための最良の形態】
【００１６】
本発明の実施形態について、図面を用いて説明すれば以下の通りである。
【００１７】
図１は、本発明の実施形態に係るハードディスクレコーダ１００（記録装置）の概略の構成を示すブロック図である。ハードディスクレコーダ１００は、チューナ１０１と、外部入力端子１０２と、入力制御部１０３と、ＭＰＥＧエンコーダ１０４（第１の圧縮部、第２の圧縮部）と、記録再生部１０５（第１の記録部、読み出し部、第２の記録部）と、プラッタ１０６（記録媒体、第１の記録媒体、第２の記録媒体）と、ＭＰＥＧデコーダ１０７（復号部）と、表示制御部１０８と、受信部１０９と、リモコン１１０（割合入力部）と、ＥＰＧ記憶部１１１と、主制御部１１２（フレーム間引き部）とを有している。
【００１８】
なお、リモコン１１０は、ハードディスクレコーダ本体と独立して持ち運び可能である。そして、チューナ１０１にはアンテナ２００が接続され、外部入力端子１０２にはビデオカセットレコーダ３００が接続され、表示制御部１０８にはテレビジョン装置４００が接続されている。
【００１９】
ハードディスクレコーダ１００が放送局から送信された動画ソースをプラッタ１０６に通常記録する際の概略の処理の流れは以下の通りである。まず、アンテナ２００が動画ソースを受信し、これをチューナ１０１へ伝達する。チューナ１０１は、アンテナ２００から伝達された動画ソースから所望のチャンネルの動画ソースを抽出し、これを入力制御部１０３へ伝達する。ここで、入力制御部１０３は、チューナ１０１と、外部入力端子１０２とからチューナ１０１を選択しており、チューナ１０１から伝達された動画ソースをＭＰＥＧエンコーダ１０４へ伝達する。ＭＰＥＧエンコーダ１０４は、入力制御部１０３から伝達された動画ソースに対するエンコード（圧縮）を行い、得られた圧縮データを記録再生部１０５へ伝達する。記録再生部１０５は、ＭＰＥＧエンコーダ１０４から伝達された圧縮データをプラッタ１０６に記録する。
【００２０】
また、ハードディスクレコーダ１００がビデオカセットレコーダ３００から入力された動画ソースをプラッタ１０６に通常記録する際の概略の処理の流れは以下の通りである。まず、外部入力端子１０２がビデオカセットレコーダ３００からの動画ソースを受信し、これを入力制御部１０３へ伝達する。ここで、入力制御部１０３は、チューナ１０１と、外部入力端子１０２とから外部入力端子１０２を選択しており、外部入力端子１０２から伝達された動画ソースをＭＰＥＧエンコーダ１０４へ伝達する。ＭＰＥＧエンコーダ１０４は、入力制御部１０３から伝達された動画ソースに対するエンコード（圧縮）を行い、得られた圧縮データを記録再生部１０５へ伝達する。記録再生部１０５は、ＭＰＥＧエンコーダ１０４から伝達された圧縮データをプラッタ１０６に記録する。
【００２１】
また、ハードディスクレコーダ１００がプラッタ１０６に記録された圧縮データを通常再生する際の概略の処理の流れは以下の通りである。まず、記録再生部１０５がプラッタ１０６の圧縮データを読み出し、これをＭＰＥＧデコーダ１０７へ伝達する。ＭＰＥＧデコーダ１０７は、記録再生部１０５から伝達された圧縮データに対するデコード（伸長）を行い、得られた動画データを表示制御部１０８へ伝達する。表示制御部１０８は、ＭＰＥＧデコーダ１０７から伝達された動画データに基づいてテレビジョン装置４００に動画を表示させる。
【００２２】
受信部１０９は、リモコン１１０から送信された赤外線信号を受信し、これを電気信号に変換して主制御部１１２へ伝達する。
【００２３】
また、入力制御部１０３は、チューナ１０１から伝達された放送データから、垂直消去帰線期間（ＶＢＩ）に重畳されているＥＰＧデータを抽出し、これをＥＰＧ記憶部１１１へ伝達する。そして、ＥＰＧ記憶部１１１は、入力制御部１０３から伝達されたＥＰＧデータを記憶する。
【００２４】
主制御部１１２は、入力制御部１０３と、ＭＰＥＧエンコーダ１０４と、記録再生部１０５と、ＭＰＥＧデコーダ１０７と、表示制御部１０８と、受信部１０９と、ＥＰＧ記憶部１１１とに接続され、これらに対して制御指示信号を伝達することで、各種動作を実行させている。
【００２５】
本実施形態に係るハードディスクレコーダ１００は、放送局からアンテナ２００を介して入力された動画ソースや、ビデオカセットレコーダ３００から外部入力端子を介して入力された動画ソースをプラッタ１０６に記録する方法として、上述した通常記録の他に、高速記録を選択することができる。以下で、この詳細について説明する。
【００２６】
まず、高速記録について説明する。本実施形態においては、高速記録とは、同じ動画ソースを記録した後に通常再生したときの再生速度が、通常記録に比べて速くなるようになされる記録のこととする。また、高速記録の記録速度は、同じ動画ソースを記録した後に通常再生したときの再生速度の、通常記録に対する比によって表されることとする。
【００２７】
例えば、同じ動画ソースを記録した後に通常再生したときの再生速度の、通常記録に対する比が１．５である高速記録の記録速度は１．５となる。そして、記録速度１．５で高速記録された動画ソースを通常再生すると、通常記録された同じ動画ソースを１．５倍速で早見再生した場合に相当する再生がなされることとなる。
【００２８】
次に、高速記録の記録速度入力手順について説明する。ハードディスクレコーダ１００及びテレビジョン装置４００の電源が入力されているときに、ユーザがリモコン１１０の入力キーの押下によって、高速記録の記録速度入力指令を行うと、高速記録の記録速度入力指令を示す赤外線信号がリモコン１１０から受信部１０９へ送信される。受信部１０９は、高速記録の記録速度入力指令を示す赤外線信号を受信すると、これを電気信号に変換して主制御部１１２へ伝達する。
【００２９】
すると、主制御部１１２は、表示制御部１０８に、高速記録の記録速度入力画面の表示を行わせる。図２は、テレビジョン装置４００に表示される高速記録の記録速度入力画面を示す説明図である。高速記録の記録速度入力画面は、高速記録の記録速度リスト表示部４０１と、高速記録の記録速度選択カーソル４０２とを有している。
【００３０】
高速記録の記録速度リスト表示部４０１は、実現可能な高速記録の記録速度リストを表示する部分である。図２においては、高速記録の記録速度リスト表示部４０１には、実現可能な高速記録の記録速度として、１．２、１．４、１．６、１．８が表示されている。高速記録の記録速度選択カーソル４０２は、ユーザによる高速記録の記録速度選択に利用されるカーソルである。
【００３１】
テレビジョン装置４００に高速記録の記録速度入力画面が表示されているときに、ユーザがリモコン１１０の入力キーの押下によって高速記録の記録速度選択指令を行うと、高速記録の記録速度選択指令を示す赤外線信号がリモコン１１０から受信部１０９へ送信される。受信部１０９は、高速記録の記録速度選択指令を示す赤外線信号を受信すると、これを電気信号に変換して主制御部１１２へ伝達する。
【００３２】
すると、主制御部１１２は、その時点で高速記録の記録速度選択カーソル４０２によって選択されている高速記録の記録速度を不図示のメモリに記憶する。これによって、高速記録の記録速度入力手順が完了する。
【００３３】
次に、ハードディスクレコーダ１００が放送局から送信された動画ソースをプラッタ１０６に高速記録する際の主制御部１１２の制御動作について説明する。図３は、ハードディスクレコーダ１００が放送局から送信された動画ソースをプラッタ１０６に高速記録する際の主制御部１１２の制御手順を示すフローチャートである。ハードディスクレコーダ１００及びテレビジョン装置４００の電源が入力されているときに、ユーザがリモコン１１０の入力キーの押下によって、放送局から送信された動画ソースの高速記録指令を行うと、放送局から送信された動画ソースの高速記録指令を示す赤外線信号がリモコン１１０から受信部１０９へ送信される。受信部１０９は、放送局から送信された動画ソースの高速記録指令を示す赤外線信号を受信すると、これを電気信号に変換して主制御部１１２へ伝達する。
【００３４】
主制御部１１２は、受信部１０９から伝達された、放送局から送信された動画ソースの高速記録指令を受信すると（Ｓ１）、入力制御部１０３に、チューナ１０１と、外部入力端子１０２とからチューナ１０１を選択させ、チューナ１０１から伝達された動画ソースをＭＰＥＧエンコーダ１０４へ伝達させる（Ｓ２）。そして、主制御部１１２は、次に、ＭＰＥＧエンコーダ１０４に、入力制御部１０３から伝達された動画ソースに対するエンコード（圧縮）を行わせ、得られた圧縮データを記録再生部１０５へ伝達させる（Ｓ３）。
【００３５】
そして、主制御部１１２は、次に、記録再生部１０５に、ＭＰＥＧエンコーダ１０４から伝達された圧縮データをプラッタ１０６へ一時記録させる（Ｓ４）。そして、主制御部１１２は、次に、記録再生部１０５に、プラッタ１０６に一時記録された圧縮データを読み出させ、これをＭＰＥＧデコーダ１０７へ伝達させる（Ｓ５）。そして、主制御部１１２は、次に、ＭＰＥＧデコーダ１０７に、記録再生部１０５から伝達された圧縮データに対するデコード（伸長）を行わせ、得られた動画データを主制御部１１２へ伝達させる（Ｓ６）。
【００３６】
そして、主制御部１１２は、次に、ＭＰＥＧデコーダ１０７から伝達された動画データに対して、不図示のメモリに記憶されている高速記録の記録速度を満たすようにフレームの間引き処理を行い、得られた動画データをＭＰＥＧエンコーダ１０４へ伝達する（Ｓ７）。なお、ここで、高速記録の記録速度とフレームを間引く割合とは明らかに一対一に対応することから、高速記録の記録速度を特定することと、高速記録のフレームを間引く割合を特定することとは等価となるので、Ｓ７において、主制御部１１２は、不図示のメモリに記憶されている高速記録の記録速度から、対応するフレームを間引く割合を求めることができる。
【００３７】
そして、主制御部１１２は、次に、ＭＰＥＧエンコーダ１０４に、主制御部１１２から伝達された動画データに対するエンコード（圧縮）を行わせ、得られた圧縮データを記録再生部１０５へ伝達させる（Ｓ８）。そして、主制御部１１２は、次に、記録再生部１０５に、ＭＰＥＧエンコーダ１０４から伝達された圧縮データをプラッタ１０６へ記録させる（Ｓ９）。
【００３８】
また、上記のＳ１を、「主制御部１１２は、受信部１０９から伝達された、ビデオカセットレコーダ３００から入力された動画ソースの高速記録指令を受信すると」と変更し、Ｓ２を、「入力制御部１０３に、チューナ１０１と、外部入力端子１０２とから外部入力端子１０２を選択させ、外部入力端子１０２から伝達された動画ソースをＭＰＥＧエンコーダ１０４へ伝達させる」と変更すると、ハードディスクレコーダ１００がビデオカセットレコーダ３００から入力された動画データをプラッタ１０６に高速記録する際の主制御部１１２の制御手順となる。
【００３９】
上記実施形態に係るハードディスクレコーダ１００は、高速記録の際には、プラッタ１０６に、フレームの間引き処理を行った後の動画データを圧縮して記録することとなる。そのため、通常の早見再生に相当する再生のみを行う動画ソースを記録する場合にプラッタ１０６の記録領域の使用量を削減することができ、プラッタ１０６の記録領域を有効活用できる。
【００４０】
また、上記実施形態に係るハードディスクレコーダ１００においては、一時記録がなされる記録媒体と、記録がなされる記録媒体とが同一の記録媒体であるので、一時記録と記録とを共通の記録再生部１０５で行うことができ、装置の大型化を防ぐことができる。
【００４１】
また、上記実施形態に係るハードディスクレコーダ１００においては、高速記録の記録速度、つまり、高速記録のフレームを間引く割合を入力することができるので、ユーザが望む再生速度に合わせた記録ができることとなる。
【００４２】
なお、上記実施形態においては、ユーザが高速記録の記録速度を入力し、高速記録指令を行うことによって高速記録がなされる構成としたが、記録速度の設定がハードディスクレコーダ１００によって自動でなされることとしてもよい。この例として、ユーザがＥＰＧ記憶部１１１に記憶されたＥＰＧデータを利用して、連続番組（例えば、月曜日から金曜日まで同じ時間に放送される帯番組や毎週同じ曜日の同じ時間に放送される連続ドラマなど）の一括記録指令（例えば、毎日記録指令や毎週記録指令など）を行った場合について以下で説明する。
【００４３】
この場合、主制御部１１２は、まず、最初のｎ（ｎは自然数）回の放送については、通常記録がなされるようにハードディスクレコーダ１００の動作を制御する。そして、主制御部１１２は、通常記録された最初のｎ回の放送各々について、不図示のメモリを用いて再生回数を計数しておく。
【００４４】
そして、主制御部１１２は、ｎ＋１回目の放送を記録する際に、不図示のメモリに記憶されている、通常記録された最初のｎ回の放送各々の再生回数を利用して、記録速度を自動設定する。具体的には、例えば、通常記録された最初のｎ回の放送の合計再生回数がｎ回以上である場合にはｎ＋１回目の放送を通常記録し、ｎ／２回以上ｎ回未満である場合にはｎ＋１回目の放送を記録速度１．４で高速記録し、ｎ／２回未満である場合にはｎ＋１回目の放送を記録速度１．８で高速記録することなどが考えられる。また、通常記録された最初のｎ回の放送の再生回数について、より最近の放送の再生回数により大きな重みを付けて加重平均し、得られた値に応じて記録速度を設定することとしてもよい。
【００４５】
主制御部１１２がこのように記録速度を自動設定すると、見る頻度の高い、つまり必要度の高い放送の記録速度は低速とされるので、プラッタ６の記録領域の使用量は大きくなるが、通常記録に近い、通常再生したときの再生速度を得ることができる。一方、見る頻度の低い、つまり必要度の低い放送の記録速度は高速とされるので、通常再生したときの再生速度は高速となるが、プラッタ６の記録領域の使用量を抑えることができる。
【００４６】
また、ユーザがＥＰＧ記憶部１１１に記憶されたＥＰＧデータを利用して、連続番組の一括記録指令を行った場合の、ハードディスクレコーダ１００による記録速度の自動設定法の他の例について以下で説明する。
【００４７】
この場合、主制御部１１２は、まず、最初のｎ（ｎは自然数）回の放送については、通常記録がなされるようにハードディスクレコーダ１００の動作を制御する。そして、主制御部１１２は、通常記録された最初のｎ回の放送各々について、最初に再生された日時と、記録終了日時とを不図示のメモリに記憶しておく。
【００４８】
そして、主制御部１１２は、ｎ＋１回目の放送を記録する際に、不図示のメモリに記憶されている、通常記録された最初のｎ回の放送各々の、最初に再生された日時と、記録終了日時とを利用して、ｎ＋１回目の放送の記録速度を自動設定する。具体的には、例えば、通常記録された最初のｎ回の放送の、最初に再生された日時と、記録終了日時との差の合計時間が１０ｎ時間未満である場合にはｎ＋１回目の放送を通常記録し、１０ｎ時間以上２０ｎ時間未満である場合にはｎ＋１回目の放送を記録速度１．４で高速記録し、２０ｎ時間以上である場合にはｎ＋１回目の放送を記録速度１．８で高速記録することなどが考えられる。また、通常記録された最初のｎ回の放送各々の、最初に再生された日時と、記録終了日時との差の最大値に応じて記録速度を設定することとしてもよい。
【００４９】
主制御部１１２がこのように記録速度を自動設定すると、記録されてから再生されるまでの経過時間が短い、つまり必要度の高い放送の記録速度は低速とされるので、プラッタ６の記録領域の使用量は大きくなるが、通常記録に近い、通常再生したときの再生速度を得ることができる。一方、記録されてから再生されるまでの経過時間が長い、つまり必要度の低い放送の記録速度は高速とされるので、通常再生したときの再生速度は高速となるが、プラッタ６の記録領域の使用量を抑えることができる。
【００５０】
なお、本発明は上記の実施形態に限定されず、本発明の主旨を逸脱しない範囲で種々の変更が可能である。例えば、本発明の記録装置はハードディスクレコーダ１００でなくともよく、ハードディスクレコーダとＤＶＤレコーダとの複合機であってもよい。その場合には、一時記録に利用される記録媒体をハードディスクレコーダのプラッタとし、記録に利用される記録媒体をＤＶＤとすることなどができる。
【００５１】
また、本発明の記録装置がハードディスクレコーダとＤＶＤレコーダとの複合機である場合には、プラッタとＤＶＤとの間のダビングの際にも上記の高速記録を適用できることとするとよい。
【００５２】
また、上記の実施形態においては、高速記録の記録速度入力は、図２に示される高速記録の記録速度入力画面における、高速記録の記録速度リスト表示部４０１からの選択によってなされることとしたが、ユーザがリモコン１１０の数字キーを用いて直接高速記録の記録速度の値を入力することとしてもよい。更に、上記の実施形態のように、ＭＰＥＧエンコーダで動画ソースにエンコードが施された圧縮データがプラッタに一時記録された後、再び、ＭＰＥＧデコーダでデコードを施した動画データに対して間引き処理を行うことで、高速記録するものとしたが、入力された動画ソースの動画データに対して直接間引き処理を行うものとしても構わない。
【産業上の利用可能性】
【００５３】
本発明は、動画データを記録する記録装置として有効である。また、本発明は、そのような記録装置の動作を制御するプログラムとして有効である。
【図面の簡単な説明】
【００５４】
【図１】ハードディスクレコーダ１００の概略の構成を示すブロック図。
【図２】テレビジョン装置４００に表示される高速記録の記録速度入力画面を示す説明図。
【図３】ハードディスクレコーダ１００が放送局から送信された動画ソースをプラッタ１０６に高速記録する際の主制御部１１２の制御手順を示すフローチャート。
【符号の説明】
【００５５】
１００    ハードディスクレコーダ
１０４    ＭＰＥＧエンコーダ
１０５    記録再生部
１０６    プラッタ
１０７    ＭＰＥＧデコーダ
１１０    リモコン
１１２    主制御部
【図１】
2008103816.tif 000003
【図２】
2008103816.tif 000004
【図３】
2008103816.tif 000005